(57)【要約】【課題】  単方向無線受信機の自動周波数変換方法の提供。【解決手段】  無線受信機の識別コードを無線周辺設備（例えば無線マウス）と同じとし、無線受信機が無線周辺設備と接続可能とされて無線周辺設備の伝送する信号を単方向受信し、並びに信号をそれと接続されたホスト（例えばコンピュータ）に送る。無線受信機が無線周辺設備の干渉を受けた信号を受け取る時、使用者に無線周辺設備の識別コードのチャンネルを変換するよう該ホストのスクリーンに提示し、更に無線周辺設備の変換されたチャンネルを検出し、並びに無線受信機の識別コードのチャンネルを無線周辺設備の変換後のチャンネルと同じチャンネルに変換し、このような無線受信機の自動周波数変換方法により、経常的に手動で周波数を変換する煩わしさを免除し、並びに無線受信機が無線周辺設備との接続を常に保持できるようにする。【選択図】        図１
2005236905.tif 000002
【特許請求の範囲】
【請求項１】
無線受信機の識別コードを無線周辺設備の識別コードと同じとし、無線受信機が無線周辺設備と接続可能とされて無線周辺設備の伝送する信号を単方向受信し、並びに信号を無線受信機と接続されたホストに送り、無線受信機が無線周辺設備の干渉を受けた信号を受け取る時、使用者に無線周辺設備の識別コードのチャンネルを変換するよう提示し、更に無線周辺設備の変換後のチャンネルを検出し、並びに無線受信機の識別コードのチャンネルを無線周辺設備の変換後のチャンネルと同じチャンネルに変換する、単方向無線受信機の自動周波数変換方法。
【請求項２】
請求項１記載の単方向無線受信機の自動周波数変換方法において、無線周辺設備が無線マウスとされたことを特徴とする、単方向無線受信機の自動周波数変換方法。
【請求項３】
請求項１記載の単方向無線受信機の自動周波数変換方法において、無線周辺設備が無線キーボードとされたことを特徴とする、単方向無線受信機の自動周波数変換方法。
【請求項４】
請求項１記載の単方向無線受信機の自動周波数変換方法において、無線周辺設備にチャンネル変換ボタンが設けられ、該チャンネル変換ボタンが押される時、該無線周辺設備の識別コードのチャンネルが変換されることを特徴とする、単方向無線受信機の自動周波数変換方法。
【請求項５】
請求項１記載の単方向無線受信機の自動周波数変換方法において、ホストがコンピュータとされたことを特徴とする、単方向無線受信機の自動周波数変換方法。
【請求項６】
請求項１記載の単方向無線受信機の自動周波数変換方法において、無線周辺設備が伝送する信号がＲＦ信号とされることを特徴とする、単方向無線受信機の自動周波数変換方法。
【請求項７】
請求項１記載の単方向無線受信機の自動周波数変換方法において、無線受信機に設置された指示ランプの点滅により使用者に無線周辺設備の識別コードのチャンネルを変換するよう提示することを特徴とする、単方向無線受信機の自動周波数変換方法。
【請求項８】
請求項１記載の単方向無線受信機の自動周波数変換方法において、無線受信機に設置されたスピーカによる設定音声の放送により使用者に無線周辺設備の識別コードのチャンネルを変換するよう提示することを特徴とする、単方向無線受信機の自動周波数変換方法。
【請求項９】
請求項１記載の単方向無線受信機の自動周波数変換方法において、無線受信機に接続されたホストのスクリーンの表示により使用者に無線周辺設備の識別コードのチャンネルを変換するよう提示することを特徴とする、単方向無線受信機の自動周波数変換方法。
【発明の詳細な説明】
【技術分野】
【０００１】
本発明は単方向無線受信機の自動周波数変換方法に係り、特に無線受信機の自動周波数変換方式により、経常的に手動で周波数変換する煩わしさを免除し、無線受信機が常に無線周辺設備と接続を保持できるようにする方法に関する。
【背景技術】
【０００２】
一般にコンピュータの無線入力設備には無線マウス（或いは無線キーボード）及び無線受信機が設置され、そのうち、該無線受信機はコンピュータと接続され、無線受信機にチャンネル変換用のボタンが設けられ、且つ無線受信機は識別コード（ＩＤ  Ｃｏｄｅ）を具え、該無線マウス（或いは無線キーボード）に無線受信機の識別コードと同じ識別コードが設けられ、無線受信機が無線マウス（或いは無線キーボード）より伝送された無線信号を受け取り並びに該信号をそれと接続されたコンピュータに伝送して入力の処理を行なうことができる。
【０００３】
しかし、無線マウス（或いは無線キーボード）の無線信号は干渉を受けやすく、その他の周辺設備の無線電波の干渉を受けると、無線受信機が無線マウス（或いは無線キーボード）の識別コードを識別できなくなり、伝送信号に接続できなくなる。このため使用者は無線マウス（或いは無線キーボード）のチャンネル変換用のボタンを押して無線マウス（或いは無線キーボード）の識別コードのチャンネルを変換しなければならず、並びに手動の方式で識別コードのチャンネルが無線マウス（或いは無線キーボード）のチャンネルと同じくなるまで連続して無線受信機のチャンネル変換用のボタンを押さねばならず、そうしなければ信号を伝送できないため非常に不便であった。
【発明の開示】
【発明が解決しようとする課題】
【０００４】
本発明は従来の技術の欠点を解決する単方向無線受信機の自動周波数変換方法を提供することを目的とする。
【０００５】
本発明の単方向無線受信機の自動周波数変換方法によると、無線受信機がそれと接続された無線周辺設備（例えば無線マウス）の識別コードを検出し、並びに検出した該識別コードのチャンネルが無線受信機の該識別コードのチャンネルと異なるとき、無線受信機の該識別コードのチャンネルを検出した無線周辺設備の該識別コードのチャンネルと同じに変換することができる。これにより無線受信機が無線周辺設備の干渉を受けた信号を受け取る時、使用者に無線周辺設備の識別コードのチャンネルを変換するよう無線受信機に接続されたホストのスクリーンに提示して使用者に無線周辺設備の識別コードのチャンネルを変換させ、さらに無線周辺設備の変換されたチャンネルを検出し、並びに無線受信機の該識別コードのチャンネルを無線周辺設備の変換後のチャンネルと同じチャンネルに変換し、これにより手動で無線受信機の周波数変換する煩わしさを免除し、並びに無線受信機が常に無線周辺設備と接続を保持できるようにする。
【課題を解決するための手段】
【０００６】
請求項１の発明は、無線受信機の識別コードを無線周辺設備の識別コードと同じとし、無線受信機が無線周辺設備と接続可能とされて無線周辺設備の伝送する信号を単方向受信し、並びに信号を無線受信機と接続されたホストに送り、無線受信機が無線周辺設備の干渉を受けた信号を受け取る時、使用者に無線周辺設備の識別コードのチャンネルを変換するよう提示し、更に無線周辺設備の変換後のチャンネルを検出し、並びに無線受信機の識別コードのチャンネルを無線周辺設備の変換後のチャンネルと同じチャンネルに変換する、単方向無線受信機の自動周波数変換方法としている。
請求項２の発明は、請求項１記載の単方向無線受信機の自動周波数変換方法において、無線周辺設備が無線マウスとされたことを特徴とする、単方向無線受信機の自動周波数変換方法としている。
請求項３の発明は、請求項１記載の単方向無線受信機の自動周波数変換方法において、無線周辺設備が無線キーボードとされたことを特徴とする、単方向無線受信機の自動周波数変換方法としている。
請求項４の発明は、請求項１記載の単方向無線受信機の自動周波数変換方法において、無線周辺設備にチャンネル変換ボタンが設けられ、該チャンネル変換ボタンが押される時、該無線周辺設備の識別コードのチャンネルが変換されることを特徴とする、単方向無線受信機の自動周波数変換方法としている。
請求項５の発明は、請求項１記載の単方向無線受信機の自動周波数変換方法において、ホストがコンピュータとされたことを特徴とする、単方向無線受信機の自動周波数変換方法としている。
請求項６の発明は、請求項１記載の単方向無線受信機の自動周波数変換方法において、無線周辺設備が伝送する信号がＲＦ信号とされることを特徴とする、単方向無線受信機の自動周波数変換方法としている。
請求項７の発明は、請求項１記載の単方向無線受信機の自動周波数変換方法において、無線受信機に設置された指示ランプの点滅により使用者に無線周辺設備の識別コードのチャンネルを変換するよう提示することを特徴とする、単方向無線受信機の自動周波数変換方法としている。
請求項８の発明は、請求項１記載の単方向無線受信機の自動周波数変換方法において、無線受信機に設置されたスピーカによる設定音声の放送により使用者に無線周辺設備の識別コードのチャンネルを変換するよう提示することを特徴とする、単方向無線受信機の自動周波数変換方法としている。
請求項９の発明は、請求項１記載の単方向無線受信機の自動周波数変換方法において、無線受信機に接続されたホストのスクリーンの表示により使用者に無線周辺設備の識別コードのチャンネルを変換するよう提示することを特徴とする、単方向無線受信機の自動周波数変換方法としている。
【発明の効果】
【０００７】
本発明の単方向無線受信機の自動周波数変換方法によると、無線受信機の識別コードを無線周辺設備（例えば無線マウス）と同じとし、無線受信機が無線周辺設備と接続可能とされて無線周辺設備の伝送する信号を単方向受信し、並びに信号をそれと接続されたホスト（例えばコンピュータ）に送る。無線受信機が無線周辺設備の干渉を受けた信号を受け取る時、使用者に無線周辺設備の識別コードのチャンネルを変換するよう該ホストのスクリーンに提示し、更に無線周辺設備の変換されたチャンネルを検出し、並びに無線受信機の識別コードのチャンネルを無線周辺設備の変換後のチャンネルと同じチャンネルに変換し、このような無線受信機の自動周波数変換方法により、経常的に手動で周波数を変換する煩わしさを免除し、並びに無線受信機が無線周辺設備との接続を常に保持できるようにする。
【発明を実施するための最良の形態】
【０００８】
本発明の単方向無線受信機の自動周波数変換方法は、図１に示されるようなシステムに応用される。該システムは、無線受信機１１と無線周辺設備１２（例えば無線マウス、無線キーボード）を具え、そのうち、該無線周辺設備１２は識別コードを具え、且つそれに複数のチャンネル変換ボタン１２６が設けられ、使用者がチャンネル変換ボタン１２６を押すことで、無線周辺設備１２の識別コードのチャンネルを変換できる。無線受信機１１は無線周辺設備１２の識別コードと同じ識別コードを具え、無線受信機１１がこれにより無線周辺設備１２と接続可能とされ、これにより無線周辺設備１２の送る信号（例えばＲＦ信号）を単方向受信し、並びに信号を無線受信機１１に接続されたホスト１３（例えばコンピュータ）に伝送する。
【０００９】
無線受信機１１が無線周辺設備１２の干渉を受けた信号を受け取る時、使用者に識別コードのチャンネルを変換するようにホスト１３のスクリーン１３１に表示し、これにより使用者にチャンネル変換ボタン１２６を押して無線周辺設備１２の識別コードのチャンネルを変換させ、さらに無線周辺設備１２の変換後のチャンネルを検出し、並びに無線受信機１１の該無線周辺設備１２に対応する識別コードのチャンネルを変換後のチャンネルと同じに変換し、これにより無線受信機１１に常に無線周辺設備１２と接続を保持させる。
【００１０】
図１、２は本発明の方法が運用されるシステムの立体外観図及び無線受信機の動作フローチャートである。図示されるように、無線受信機１１が無線周辺設備１２が送る信号を受け取る時、以下のステップにより処理を行なう。
２０１  まず、無線周辺設備１２からの無線信号を受け取ったかを判断する。受け取っていればステップ２０７に進み、受け取ってなければ続いてステップ２０２を行なう。
２０２  待機時間に到達したかを判断する。到達していればステップ２０３を実行し、到達していなければステップ２０１を実行する。
２０３  無線周辺設備１２の原識別コードのチャンネルが作用可能なチャンネルであるかを判断する。作用可能なチャンネルであればステップ２０４を実行し、作用可能なチャンネルでなければステップ２０８を実行する。
２０４  原識別コードのチャンネルを保持するかを判断する。もし保持するならばステップ２０５を実行し、保持しなければステップ２０６を実行する。
２０５  識別コードのチャンネルを原識別コードのチャンネルに保持し、続いてステップ２０１を実行する。
２０６  原識別コードのチャンネルを次のチャンネルに変換し、続いてステップ２０１を実行する。
２０７  この無線信号をホスト１３に送り、並びにその識別コードのチャンネルを原識別コードのチャンネルに設定し、続いてステップ２０１を実行する。
２０８  使用者に識別コードのチャンネルを変換するようホスト１３のスクリーン１３１に提示し、これにより使用者にチャンネル変換ボタン１２６を押させて無線周辺設備１２の識別コードのチャンネルを変換させ、続いてステップ２０１を実行する。
【００１１】
図１、及び図３の本発明の無線周辺設備１２の動作フローチャートを参照されたい。図示されるように、無線周辺設備１２が作動時に、それは以下のステップにより処理を行なう。
３０１  チャンネル変換ボタン１２６が押されたかを判断し、押されていればステップ３０４を実行し、押されていなければステップ３０２を実行する。
３０２  入力された信号を伝送する必要があるかを判断する。もし伝送する必要があればステップ３０３を実行し、必要がなければステップ３０１を実行する。
３０３  ＲＦ信号で入力された信号を伝送し、続いてステップ３０１を実行する。
３０４  原識別コードのチャンネルを次のチャンネルに変換し、続いてステップ３０２を実行する。
【００１２】
図４は本発明の無線受信機の回路ブロック図である。図示されるように、無線受信機１１は制御回路１１１、中周波集積回路１１２、ろ波器１１３、電圧制御振動器１１４、振動器１１５及び受信アンテナ１１６を具えている。該制御回路１１１にはマイクロプロセッサと周波数合成器（ＰＬＬシンセサイザー）が設けられ、そのチャンネル変換ボタン１２６が押される時（図１）、周波数合成器が電圧制御振動器１２２の補助により一つのチャンネルを生成し、マイクロプロセッサが光学センサ１２３の受信した信号を、発射アンテナ１２５によりＲＦ信号として発射し、直流変換器１２４は電池（図示せず）の直流電源を無線周辺設備１２の作業に適合する直流電源に変換する。
【００１３】
図６は本発明の無線受信機のもう一つの実施例であり、その無線受信機１１には指示ランプ１１７或いはスピーカ１１８が設置され、無線受信機１１が無線周辺設備１２の干渉を受けた信号を受け取る時、使用者に識別コードのチャンネルを変換するよう、指示ランプ１１７の点滅或いはスピーカ１１８による設定音声の放送により告知し、これにより使用者にチャンネル変換ボタン１２６を押して無線周辺設備１２の識別コードのチャンネルを変換させる。
【００１４】
以上は本発明の好ましい実施例の説明であって、本発明の請求範囲を限定するものではなく、本発明に基づきなしうる細部の修飾或いは改変は、いずれも本発明の請求範囲に属するものとする。
【図面の簡単な説明】
【００１５】
【図１】本発明の本発明の方法が運用されるシステムの立体外観図である。
【図２】本発明の無線受信機の動作フローチャートである。
【図３】本発明の無線周辺設備の動作フローチャートである。
【図４】本考案の無線受信機の回路ブロック図である。
【図５】本考案の無線周辺設備の回路ブロック図である。
【図６】本考案の無線受信機のもう一つの実施例表示図である。
【符号の説明】
【００１６】
１１  無線受信機
１１１  制御回路                １１５  振動器
１１２  中周波集積回路          １１６  受信アンテナ
１１３  ろ波器                  １１７  指示ランプ
１１４  電圧制御振動器          １１８  スピーカ
１２  無線周辺設備
１２１  制御回路                １２４  直流変換器
１２２  電圧制御振動器          １２５  発射アンテナ
１２３  光学センサ              １２６  チャンネル交換ボタン
１３  ホスト
１３１  スクリーン
【図１】
2005236905.tif 000003
【図２】
2005236905.tif 000004
【図３】
2005236905.tif 000005
【図４】
2005236905.tif 000006
【図５】
2005236905.tif 000007
【図６】
2005236905.tif 000008